(57)【要約】【課題】複数の限定受信方式を並列運用するサイマルクリプト形式の限定受信システムにおいて、ある限定受信方式独自の共通情報を使用した受信機制御を可能にすることを目的とする。【解決手段】１つ以上の共通情報生成手段のうち少なくとも１つの共通情報生成手段は受信手段を制御する制御情報を入力する制御情報入力手段を具備し、スクランブル鍵および元情報および制御情報を含めた共通情報を生成して共通情報同期手段に送信し、受信手段は１つ以上の共通情報のうち処理可能な共通情報を受信し、受信した共通情報に制御情報が含まれていれば制御情報に対応する処理を行うことで、ある限定受信方式独自の共通情報を使用した受信機制御が可能となる。【選択図】  図１
2004320113.tif 000002
【特許請求の範囲】
【請求項１】
それぞれ異なる共通情報を生成する１つ以上の共通情報生成手段と、
前記１つ以上の共通情報生成手段に接続され、前記１つ以上の共通情報生成手段に少なくともスクランブル鍵および共通情報の元となる元情報を供給し、前記１つ以上の共通情報生成手段が生成した１つ以上の共通情報を受信して伝送路に送信すると共に、映像、音声、データのいずれかを含むコンテンツのスクランブル制御を行う共通情報同期手段と、
前記コンテンツおよび前記共通情報を前記伝送路から受信する１つ以上の受信手段と、を含む限定受信システムであって、
前記１つ以上の共通情報生成手段のうち少なくとも１つの共通情報生成手段は前記受信手段を制御する制御情報を入力する制御情報入力手段を具備し、前記スクランブル鍵および前記元情報および前記制御情報を含めた前記共通情報を生成して前記共通情報同期手段に送信し、
前記受信手段は前記１つ以上の共通情報のうち処理可能な共通情報を受信し、前記受信した共通情報に前記制御情報が含まれていれば前記制御情報に対応する処理を行うことを特徴とする、限定受信システム。
【請求項２】
前記制御情報は受信手段の受信周波数を設定する情報であることを特徴とする請求項１記載の限定受信システム。
【請求項３】
前記制御情報は契約情報を消去する受信手段を識別する情報であることを特徴とする請求項１記載の限定受信システム。
【請求項４】
前記制御情報は視聴情報の送信先情報であることを特徴とする請求項１記載の限定受信システム。
【請求項５】
前記制御情報はメッセージ情報であることを特徴とする請求項１記載の限定受信システム。
【請求項６】
前記制御情報は前記コンテンツの残り時間情報であることを特徴とする請求項１記載の限定受信システム。
【請求項７】
それぞれ異なる共通情報を生成する１つ以上の共通情報生成手段と、
前記１つ以上の共通情報生成手段に接続され、前記１つ以上の共通情報生成手段に少なくともスクランブル鍵および共通情報の元となる元情報を供給し、前記１つ以上の共通情報生成手段が生成した１つ以上の共通情報を受信して伝送路に送信すると共に、映像、音声、データのいずれかを含むコンテンツのスクランブル制御を行う共通情報同期手段と、を含む限定受信システムにおける共通情報生成手段であって、
前記１つ以上の共通情報生成手段のうち少なくとも１つの共通情報生成手段は前記受信手段を制御する制御情報を入力する制御情報入力手段を具備し、前記スクランブル鍵および前記元情報および前記制御情報を含めた前記共通情報を生成して前記共通情報同期手段に送信することを特徴とする共通情報生成手段。
【請求項８】
それぞれ異なる共通情報を生成する１つ以上の共通情報生成手段と、
前記１つ以上の共通情報生成手段に接続され、前記１つ以上の共通情報生成手段に少なくともスクランブル鍵および共通情報の元となる元情報を供給し、前記１つ以上の共通情報生成手段が生成した１つ以上の共通情報を受信して伝送路に送信すると共に、映像、音声、データのいずれかを含むコンテンツのスクランブル制御を行う共通情報同期手段と、
前記コンテンツおよび前記共通情報を前記伝送路から受信する１つ以上の受信手段を含む限定受信方法であって、
前記１つ以上の共通情報生成手段のうち少なくとも１つの共通情報生成手段は前記受信手段を制御する制御情報を入力する制御情報入力手段を具備し、前記スクランブル鍵および前記元情報および前記制御情報を含めた前記共通情報を生成して前記共通情報同期手段に送信し、
前記受信手段は前記１つ以上の共通情報のうち処理可能な共通情報を受信し、前記受信した共通情報に前記制御情報が含まれていれば前記制御情報に対応する処理を行うことを特徴とする限定受信方法。
【発明の詳細な説明】
【０００１】
【発明の属する技術分野】
本発明は、有料放送などにおいて複数の異なる限定受信方式を並列運用する限定受信システムに関するものである。
【０００２】
【従来の技術】
従来、１つのコンテンツに対して２つ以上の限定受信を混在させる方法として、サイマルクリプト（ＥＴＳＩ：ＴＳ１０１  １９７−１「ＤＶＢ  ＳｉｍｕｌＣｒｙｐｔ」）という方法が知られている。またその方法を実現する手段として特許文献１がある。
【０００３】
以下、図を用いて従来の技術を説明する。
【０００４】
図５はサイマルクリプト方式のシステム構成の要部を示す図である。
【０００５】
端末装置は自分当てに送られてきた個別情報（ＥＭＭ）を受信して保持しておき、視聴したいコンテンツに付随する共通情報（ＥＣＭ）をあらかじめ保持しているＥＭＭと比較することによりコンテンツの視聴可否を判断する。
【０００６】
放送センタ５０１において、２つの限定受信方式を混在させることを考える。
【０００７】
第一のＥＭＭ生成装置５０３および第一のＥＣＭ生成装置５０５は第一の限定受信方式に属し、第二のＥＭＭ生成装置５０４および第二のＥＣＭ生成装置５０６は第二の限定受信方式に属する。コンテンツサーバ５０２は映像や音声などで構成されるコンテンツを多重部５０９へ送信する。第一のＥＭＭ生成装置５０３は第一の限定受信方式に属する各端末装置５１２に対してコンテンツへの視聴許可を与える契約情報領域を含む第一のＥＭＭを多重部５０９へ送信し、第二のＥＭＭ生成装置５０４は第二の限定受信方式に属する各端末装置５１２に対して上記と同一のコンテンツへの視聴許可を与える契約情報領域を含む第二のＥＭＭを多重部５０９へ送信する。Ｋｓ生成装置５０８はコンテンツをスクランブルするためのＫｓを一定間隔で生成し、サイマルクリプト制御部５０７へ送信する。サイマルクリプト制御部５０７は受信したＫｓを第一のＥＣＭ生成装置５０５および第二のＥＣＭ生成装置５０６へ送信し、第一のＥＣＭ生成装置５０５はコンテンツに対する視聴許可を判定するための判定領域と受信したＫｓを含む第一のＥＣＭを生成し、サイマルクリプト制御部５０７へ送信し、第二のＥＣＭ生成装置５０６は上記と同一のコンテンツに対する視聴許可を判定するための判定領域と受信したＫｓを含む第二のＥＣＭを生成し、サイマルクリプト制御部５０７へ送信する。サイマルクリプト制御部５０７は、受信した第一のＥＣＭおよび第二のＥＣＭを多重部５０９へ送信するとともに、スクランブルを行うコンテンツを識別するＰＩＤとＫｓをスクランブラ５１０へ送信する。多重部５０９はコンテンツと第一のＥＣＭ、第二のＥＣＭ、第一のＥＭＭおよび第二のＥＭＭを多重して１つのストリームとしてスクランブラ５１０へ送信し、スクランブラ５１０は指定されたＰＩＤとＫｓを元に該当のコンテンツに対してスクランブルを行い送信部５１１へ送信する。送信部５１１は伝送路に適した変調処理などを行い伝送路へ送出する。
【０００８】
第一の限定受信方式に属する端末装置５１２はストリームから自分宛の第一のＥＭＭを受信し、契約情報を保持し、コンテンツに付随する第一のＥＣＭの判定領域と契約情報を比較し、視聴許可が有りと判定されれば該コンテンツのデスクランブルを行うことができ視聴可能となる。また、第二の限定受信方式に属する端末装置５１２はストリームから自分宛の第二のＥＭＭを受信し、契約情報を保持し、コンテンツに付随する第二のＥＣＭの判定領域と契約情報を比較し、視聴許可が有りと判定されれば該コンテンツのデスクランブルを行うことができ視聴可能となる。
【０００９】
このように、サイマルクリプト方式を用いれば、同一のコンテンツに対して複数の限定受信方式を混在させることが可能となる。
【００１０】
【特許文献１】
特許第２９４０６３９号公報
【００１１】
【発明が解決しようとする課題】
しかし、従来のような方法では、複数のＥＣＭ生成装置が生成するそれぞれのＥＣＭのフォーマットや暗号方式は異なるが、視聴可否を判定するための情報は同一であるため、それぞれの限定受信方式独自の制御を行うためにはＥＭＭ生成装置により独自のＥＭＭを生成して送るしか無く、ＥＣＭで独自の制御を行う方法は提案されていなかった。
【００１２】
本発明は上記従来の課題を解決するために成されたものであって、サイマルクリプト方式に使用する共通情報生成手段において、その限定受信方式独自の端末制御を行うことを目的とする。
【００１３】
【課題を解決するための手段】
上記課題を解決するため、本発明は、それぞれ異なる共通情報を生成する１つ以上の共通情報生成手段と、１つ以上の共通情報生成手段に接続され、１つ以上の共通情報生成手段に少なくともスクランブル鍵および共通情報の元となる元情報を供給し、１つ以上の共通情報生成手段が生成した１つ以上の共通情報を受信して伝送路に送信すると共に、映像、音声、データのいずれかを含むコンテンツのスクランブル制御を行う共通情報同期手段と、コンテンツおよび共通情報を伝送路から受信する１つ以上の受信手段を含む限定受信システムであって、１つ以上の共通情報生成手段のうち少なくとも１つの共通情報生成手段は受信手段を制御する制御情報を入力する制御情報入力手段を具備し、スクランブル鍵および元情報および制御情報を含めた共通情報を生成して共通情報同期手段に送信し、受信手段は１つ以上の共通情報のうち処理可能な共通情報を受信し、受信した共通情報に制御情報が含まれていれば制御情報に対応する処理を行うという手段を有する限定受信システムである。
【００１４】
これにより本発明では、１つ以上の限定受信方式を並列運用するサイマルクリプト形式の限定受信システムにおいて、ある限定受信方式独自の共通情報を使用した端末制御を可能とする。
【００１５】
本発明の一実施態様において、前記制御情報は、受信手段の受信周波数を設定する情報である。
【００１６】
また、本発明の別の一実施態様において、前記制御情報は、契約情報を消去する受信手段を識別する情報である。
【００１７】
また、本発明の別の一実施態様において、前記制御情報は、視聴情報の送信先情報である。
【００１８】
また、本発明の別の一実施態様において、前記制御情報は、メッセージ情報である。
【００１９】
また、本発明の別の一実施態様において、前記制御情報は、前記コンテンツの残り時間情報である。
【００２０】
本発明はまた、上記限定受信システムを構成する送信装置、または限定受信方法、あるいはこれを実行するためのプログラム、またはこれを記録する記録媒体を包含する。
【００２１】
【発明の実施の形態】
以下、本発明の実施の形態について図を用いて説明する。なお、本発明はこれらの実施の形態に何ら限定されるものではなく、その要旨を逸脱しない範囲において、種々なる態様で実施し得る。
【００２２】
本実施形態では限定受信システムの一例であるデジタルＣＡＴＶシステムを用いて説明する。
【００２３】
図１は本実施形態における、限定受信システムの全体構成を示すブロック図の一例である。
【００２４】
ＣＡＴＶ局１００と１つ以上の受信装置１１１はＣＡＴＶ網１０５で接続されている。ＣＡＴＶ局１００において、情報源１０１は映像、音声、またはデータのいずれかを含むコンテンツを多重部１０２に送出し、多重部１０２は１つ以上の情報源１０１から受信したコンテンツを１つのストリームに多重してスクランブラ１０３に送出する。コンテンツ管理手段１１２はスクランブル制御を行う番組情報をＥＣＭ同期手段１０６に送信し、ＥＣＭ同期手段１０６はＥＣＭ生成手段Ａ１０７、ＥＣＭ生成手段Ｂ１０８、ＥＣＭ生成手段Ｃ１０９それぞれに対して同一のスクランブル鍵Ｋｓおよびコンテンツの視聴条件を含む番組情報を送信し、その応答としてＥＣＭＡ、ＥＣＭＢ、ＥＣＭＣを受信し、スクランブル鍵ＫｓおよびＥＣＭＡ、ＥＣＭＢ、ＥＣＭＣを含む情報をスクランブラに送信する。制御情報入力手段１１０はＥＣＭ生成手段Ｃ１０９に接続され、受信装置１１１を制御するための制御情報を送信し、ＥＣＭ生成手段Ａ１０７、ＥＣＭ生成手段Ｂ１０８、ＥＣＭ生成手段Ｃ１０９はそれぞれＥＣＭ同期手段１０６に接続されており、受信したスクランブル鍵Ｋｓおよび番組情報を元にそれぞれＥＣＭＡ、ＥＣＭＢ、ＥＣＭＣを生成して返信する。スクランブラ１０３は多重部１０２およびＥＣＭ同期手段１０６および変調部１０４に接続され、ＥＣＭ同期手段１０６から受信したスクランブル鍵Ｋｓを使用して多重部１０２から受信したコンテンツの一部あるいは全部をスクランブルし、コンテンツを含むストリームにＥＣＭＡ、ＥＣＭＢ、ＥＣＭＣを多重して変調部１０４に送出し、変調部１０４はスクランブラ１０３から受信したストリームを変調してＣＡＴＶ網１０５に送出する。受信装置１１１はＣＡＴＶ網１０５から受信したストリームからＥＣＭＡ、ＥＣＭＢ、ＥＣＭＣのうち処理可能なＥＣＭを受信して、あらかじめ受信している契約情報（ＥＭＭ）の内容と比較してコンテンツの視聴可否を判定する。なお図１は説明を行うための模式図であり、ＣＡＴＶ局１００には上記構成要素以外にも図示しないＥＭＭ生成手段や加入者管理手段や視聴情報収集手段などが含まれ、また、受信装置１１１にはＩＣカードやスマートカードなどのセキュリティモジュールなどが含まれるが本発明と直接関連しないため説明を割愛する。
【００２５】
図２はストリームに含まれるＰＭＴ（プログラムマップテーブル）を示す図である。ＰＭＴはヘッダ部２０１、ＥＣＭＰＩＤループ部２０２、コンテンツＰＩＤループ部２０３を含む構成であり、コンテンツとそれに対応するＥＣＭのＰＩＤを指定する。ＥＣＭＰＩＤループ部２０２には限定受信方式記述子が並列運用する限定受信方式の数だけ繰り返し格納されており、限定受信方式を識別するＣＡＳＩＤおよびＥＣＭＰＩＤなどが含まれている。図２ではＣＡＳＩＤが１の場合ＥＣＭＡのＰＩＤを示し、ＣＡＳＩＤが４の場合ＥＣＭＢのＰＩＤを示し、ＣＡＳＩＤが６の場合ＥＣＭＣのＰＩＤを示している。図１における受信装置１１１はこのＣＡＳＩＤにより自分が処理できるＥＣＭを判別し受信すべきＥＣＭのＰＩＤを得ることができる。
【００２６】
以上の構成よりなる限定受信システムにおいて、以下その動作を説明する。
【００２７】
ＥＣＭ同期手段１０６はコンテンツのスクランブルが必要な場合、同一のスクランブル鍵Ｋｓおよび番組情報をＥＣＭ生成手段Ａ１０７、ＥＣＭ生成手段Ｂ１０８、ＥＣＭ生成手段Ｃ１０９に送出する。ＥＣＭ生成手段Ａ１０７およびＢ１０８およびＣ１０９はそれぞれの限定受信方式に従ってＥＣＭを生成する。たとえばＥＣＭ生成手段Ａ１０７およびＢ１０８およびＣ１０９は図３に示すようなＥＣＭを生成し、そのＥＣＭにはそれぞれ独自のヘッダ部３０１、同一のスクランブル鍵ＫｓＯｄｄ３０２およびＫｓＥｖｅｎ３０３、同一の番組情報を元に生成した視聴条件３０４を含める。その後ＥＣＭ生成手段Ａ１０７、Ｂ１０８、Ｃ１０９はそれぞれ生成したＥＣＭＡ、ＥＣＭＢ、ＥＣＭＣをＥＣＭ同期手段１０６に送信し、ＥＣＭ同期手段１０６はスクランブル鍵ＫｓとＥＣＭＡ、ＥＣＭＢ、ＥＣＭＣをスクランブラ１０３に送信することにより、同一のスクランブル鍵Ｋｓを含んだ複数のＥＣＭを送信する。
【００２８】
ここでＥＣＭ生成手段Ｃ１０９に制御情報入力手段１１０から送出すべき制御情報が入力されると、図４に示すようにＥＣＭＣを生成する際に制御情報４０５を含めて生成する。以上のようにすることでＥＣＭＣのスクランブル鍵ＫｓＯｄｄ４０２、スクランブル鍵ＫｓＥｖｅｎ４０３はＥＣＭＡおよびＥＣＭＢのスクランブル鍵ＫｓＯｄｄ３０２、スクランブル鍵ＫｓＥｖｅｎ３０３と同一であり、また、視聴条件４０４は視聴条件３０４と同等であるため、コンテンツの視聴可否には何ら影響を与えずに制御情報４０５を送信することが可能となる。これにより、ＥＣＭ生成手段Ｃ１０９はその他のＥＣＭ生成手段Ａ１０７、Ｂ１０８と同等のＥＣＭを送ると共に、その他にはない独自の制御情報４０５を送信して受信装置１１１の制御が可能となる。
【００２９】
以上のように本実施形態によれば、ＥＣＭ生成手段１０９が制御情報入力手段１１０から受信した制御情報を含めてＥＣＭＣを生成して送信することが可能であるので、ＥＣＭ生成手段１０９の属する限定受信方式独自の受信装置制御が可能となる。
【００３０】
ここで上記制御情報を受信装置１１１の受信周波数を設定する情報とすれば、ＥＣＭＣを受信する全ての受信装置１１１の受信周波数設定が一度に可能となり、受信周波数を個別に送信したり、受信装置１１１を直接操作したりする手間が省けるなどその効果は大きい。
【００３１】
また制御情報を、契約情報を消去する受信装置の識別ＩＤとすれば、ＥＭＭを受信しないような不正な受信装置１１１の契約情報を消去することが可能となる。
【００３２】
また、ＰＰＶなどを運用している場合に視聴履歴を含む視聴情報を受信装置１１１から図示しない視聴情報収集手段に送信する必要があるが、制御情報を視聴情報の送信先情報とすれば、視聴情報収集手段の場所が変わったり電話番号やＩＰアドレス、またはＵＲＬが変更された場合などにＥＣＭＣを受信する全ての受信装置１１１の送信先情報が変更可能となる。
【００３３】
また、制御情報をメールやお知らせなどのメッセージ情報とすれば、ＥＣＭＣを受信する全ての受信装置１１１に一度にメッセージを送信することが可能となる。
【００３４】
また、制御情報をコンテンツの残り時間情報とすれば、受信装置１１１がその情報を視聴者に提示することにより、視聴者があとどれくらいでコマーシャルになるかや、何時に終了するかなどがコンテンツを視聴しながら知ることができるので視聴者の利便性を向上することが可能となる。
【００３５】
なお、本実施形態ではＥＣＭ生成手段は３つとしたが、これに限定されるものではない。
【００３６】
また、スクランブラ１０３がＥＣＭを多重するようにしたが、ＥＣＭ同期手段１０６はそれぞれのＥＣＭを多重部１０２に送信し、多重部１０２がそれぞれのＥＣＭをストリームに多重してもよく、またこれに限定されるものでもない。
【００３７】
また、ＥＣＭ生成手段Ｃ１０９のみに制御情報入力手段１１０が接続されるとしたが、その他のＥＣＭ生成手段に接続しても良く、またそれぞれのＥＣＭ生成手段に別々の制御情報入力手段を接続しても良い。
【００３８】
また、本実施形態ではＣＡＴＶを想定して説明したが、衛星放送や地上波放送、またインターネットなどでも良く伝送路の形態には特化しない。
【００３９】
【発明の効果】
以上のように、本願の請求項１記載の発明では、それぞれ異なる共通情報を生成する１つ以上の共通情報生成手段と、１つ以上の共通情報生成手段に接続され、１つ以上の共通情報生成手段に少なくともスクランブル鍵および共通情報の元となる元情報を供給し、１つ以上の共通情報生成手段が生成した１つ以上の共通情報を受信して伝送路に送信すると共に、映像、音声、データのいずれかを含むコンテンツのスクランブル制御を行う共通情報同期手段と、コンテンツおよび共通情報を伝送路から受信する１つ以上の受信手段を含む限定受信システムであって、１つ以上の共通情報生成手段のうち少なくとも１つの共通情報生成手段は受信手段を制御する制御情報を入力する制御情報入力手段を具備し、スクランブル鍵および元情報および制御情報を含めた共通情報を生成して共通情報同期手段に送信し、受信手段は１つ以上の共通情報のうち処理可能な共通情報を受信し、受信した共通情報に制御情報が含まれていれば制御情報に対応する処理を行うようにしたので、複数の限定受信方式を並列運用するサイマルクリプト形式の限定受信システムにおいて、ある限定受信方式独自の共通情報を使用した端末制御が可能となる。
【００４０】
本願の請求項２記載の発明では、制御情報は受信手段の受信周波数を設定する情報であるとしたので、制御情報と含む共通情報を受信する全ての受信手段の受信周波数設定が一度に可能となる。
【００４１】
本願の請求項３記載の発明では、制御情報は契約情報を消去する受信手段を識別する情報であるとしたので、個別情報を受信しないような不正な受信手段の契約情報を消去することが可能となる。
【００４２】
本願の請求項４記載の発明では、制御情報は視聴情報の送信先情報であるとしたので、視聴情報収集手段の場所を変更したり電話番号やＩＰアドレス、またはＵＲＬを変更したりした場合などに制御情報を含む共通情報を受信する全ての受信手段の送信先情報が一度に変更可能となる。
【００４３】
本願の請求項５記載の発明では、制御情報はメッセージ情報であるとしたので、制御情報を含む共通情報を受信する全ての受信手段にメッセージを送信することが可能となる。
【００４４】
本願の請求項６記載の発明では、制御情報はコンテンツの残り時間情報であるとしたので、受信手段がその情報を視聴者に提示することにより、視聴者があとどれくらいでコマーシャルになるか、何時に終了するかなどがコンテンツを視聴しながら知ることができるので視聴者の利便性を向上することが可能となる。
【００４５】
本願の請求項７記載の発明では、それぞれ異なる共通情報を生成する１つ以上の共通情報生成手段と、１つ以上の共通情報生成手段に接続され、１つ以上の共通情報生成手段に少なくともスクランブル鍵および共通情報の元となる元情報を供給し、１つ以上の共通情報生成手段が生成した１つ以上の共通情報を受信して伝送路に送信すると共に、映像、音声、データのいずれかを含むコンテンツのスクランブル制御を行う共通情報同期手段とを含む限定受信システムにおける共通情報生成手段であって、１つ以上の共通情報生成手段のうち少なくとも１つの共通情報生成手段は受信手段を制御する制御情報を入力する制御情報入力手段を具備し、スクランブル鍵および元情報および制御情報を含めた共通情報を生成して共通情報同期手段に送信することにしたので、複数の限定受信方式を並列運用するサイマルクリプト形式の限定受信システムにおいて、ある限定受信方式独自の共通情報を使用した端末制御が可能となる。
【００４６】
本願の請求項８記載の発明では、それぞれ異なる共通情報を生成する１つ以上の共通情報生成手段と、１つ以上の共通情報生成手段に接続され、１つ以上の共通情報生成手段に少なくともスクランブル鍵および共通情報の元となる元情報を供給し、１つ以上の共通情報生成手段が生成した１つ以上の共通情報を受信して伝送路に送信すると共に、映像、音声、データのいずれかを含むコンテンツのスクランブル制御を行う共通情報同期手段と、コンテンツおよび共通情報を伝送路から受信する１つ以上の受信手段を含む限定受信方法であって、１つ以上の共通情報生成手段のうち少なくとも１つの共通情報生成手段は受信手段を制御する制御情報を入力する制御情報入力手段を具備し、スクランブル鍵および元情報および制御情報を含めた共通情報を生成して共通情報同期手段に送信し、受信手段は１つ以上の共通情報のうち処理可能な共通情報を受信し、受信した共通情報に制御情報が含まれていれば制御情報に対応する処理を行うことにしたので、複数の限定受信方式を並列運用するサイマルクリプト形式の限定受信方法において、ある限定受信方式独自の共通情報を使用した端末制御が可能となる。
【図面の簡単な説明】
【図１】本発明の実施の形態における限定受信システムの要部を示すブロック図
【図２】本発明の実施の形態におけるＰＭＴの要部を示すデータ構造図
【図３】本発明の実施の形態における通常のＥＣＭの要部を示すデータ構造図
【図４】本発明の実施の形態における制御情報を含むＥＣＭの要部を示すデータ構造図
【図５】従来のサイマルクリプト方式である限定受信システムの要部を示すブロック図
【符号の説明】
１００  ＣＡＴＶ局
１０１  情報源
１０２  多重部
１０３  スクランブラ
１０４  変調部
１０５  ＣＡＴＶ網
１０６  ＥＣＭ同期手段
１０７，１０８，１０９  ＥＣＭ生成手段
１１０  制御情報入力手段
１１１  受信装置
１１２  コンテンツ管理手段
【図１】
2004320113.tif 000003
【図２】
2004320113.tif 000004
【図３】
2004320113.tif 000005
【図４】
2004320113.tif 000006
【図５】
2004320113.tif 000007